(57)【要約】【課題】水槽を開ける回数を最小化するとともに水槽の排水作業を容易にする除湿機を提供する。【解決手段】本発明の除湿機は、空気吸入口及び空気吐出口が形成されたケースと、前記ケースの内部に配置され、前記空気吸入口を通じて吸入された空気が通過する熱交換器と、前記ケースに配置された第１水槽と、前記ケースに配置された第２水槽と、前記熱交換器から落下した凝縮水を前記第１水槽に案内する第１水路部と、前記熱交換器から落下した凝縮水を前記第２水槽に案内する第２水路部と、前記第１水路部を開閉する第１バルブと、前記第２水路部を開閉する第２バルブと、前記第１バルブ及び第２バルブを制御する制御部とを含む。【選択図】図４
2016055285.tif 000002
【特許請求の範囲】
【請求項１】
空気吸入口及び空気吐出口が形成されたケースと、
前記ケースの内部に配置され、前記空気吸入口を通じて吸入された空気が通過する熱交換器と、
前記ケースに配置された第１水槽と、
前記ケースに配置された第２水槽と、
前記熱交換器から落下した凝縮水を前記第１水槽に案内する第１水路部と、
前記熱交換器から落下した凝縮水を前記第２水槽に案内する第２水路部と、
前記第１水路部を開閉する第１バルブと、
前記第２水路部を開閉する第２バルブと、
前記第１バルブ及び第２バルブを制御する制御部とを含む、除湿機。
【請求項２】
前記熱交換機の下側に位置し、前記第１水路部及び第２水路部が連結される第３水路部を持つドレインパンをさらに含む、請求項１に記載の除湿機。
【請求項３】
前記第１水路部と前記第２水路部は離隔されている、請求項２に記載の除湿機。
【請求項４】
前記第１水槽の装着を感知する第１水槽感知部と、
前記第２水槽の装着を感知する第２水槽感知部と、
前記第１水槽の水位を感知する第１水槽水位感知部と、
前記第２水槽の水位を感知する第２水槽水位感知部とをさらに含み、
前記制御部は、前記第１水槽感知部と、第２水槽感知部と、第１水槽水位感知部と、第２水槽水位感知部との感知結果によって前記第１バルブと第２バルブを制御する、請求項１に記載の除湿機。
【請求項５】
前記制御部は、強力除湿の際、前記第１バルブと前記第２バルブを全て開放制御する、請求項１に記載の除湿機。
【請求項６】
前記制御部は、前記第１バルブと前記第２バルブの中でいずれか一つの開放制御の際、他の一つを閉鎖制御する、請求項１に記載の除湿機。
【請求項７】
空気吸入口及び空気吐出口が形成されたケースと、
前記ケースの内部に配置され、前記空気吸入口を通じて吸入された空気が通過する熱交換器と、
前記ケースに配置された第１水槽と、
前記ケースに配置された第２水槽と、
前記熱交換器から落下した凝縮水を前記第１水槽に案内する第１水路部と、
前記熱交換器から落下した凝縮水を前記第２水槽に案内する第２水路部と、
前記第１水路部と第２水路部を開閉する三方バルブと、
前記三方バルブを制御する制御部とを含む、除湿機。
【請求項８】
前記熱交換機の下側に位置し、前記三方バルブが連結されるドレインパンをさらに含む、請求項７に記載の除湿機。
【請求項９】
前記第１水路部と前記第２水路部は離隔されている、請求項７に記載の除湿機。
【請求項１０】
前記第１水槽の装着を感知する第１水槽感知部と、
前記第２水槽の装着を感知する第２水槽感知部と、
前記第１水槽の水位を感知する第１水槽水位感知部と、
前記第２水槽の水位を感知する第２水槽水位感知部とをさらに含み、
前記制御部は、前記第１水槽感知部と、第２水槽感知部と、第１水槽水位感知部と、第２水槽水位感知部との感知結果によって前記三方バルブを制御する、請求項１に記載の除湿機。
【請求項１１】
熱交換器と、第１水槽と、第２水槽と、前記熱交換器から落下した凝縮水を前記第１水槽に案内する第１水路部と、前記熱交換器から落下した凝縮水を前記第２水槽に案内する第２水路部と、前記第１水路部を開閉する第１バルブと、前記第２水路部を開閉する第２バルブとを含む除湿機の制御方法であって、
前記第１水槽が装着されており、前記第１水槽の水位が満水でなければ、前記第１水槽に流れる凝縮水を断続する第１バルブを開け、前記第２バルブを閉める第１水槽ドレイン段階と、
前記第１水槽の水位が満水であり、前記第２水槽が装着されており、前記第２水槽の水位が満水でなければ、前記第１バルブを閉め、前記第２バルブを開ける第２水槽ドレイン段階とを含む、除湿機の制御方法。
【請求項１２】
前記第２水槽が満水であれば、前記第２バルブを閉め、満水を外部に知らせ、除湿機の運転を停止する停止段階をさらに含む、請求項１１に記載の除湿機の制御方法。
【請求項１３】
熱交換器と、第１水槽と、第２水槽と、前記熱交換器から落下した凝縮水を前記第１水槽に案内する第１水路部と、前記熱交換器から落下した凝縮水を前記第２水槽に案内する第２水路部と、前記第１水路部を開閉する第１バルブと、前記第２水路部を開閉する第２バルブとを含む除湿機の制御方法であって、
強力除湿の際、前記第１水槽及び前記第２水槽が共に装着されており、前記第１水槽の水位が満水でなく、前記第２水槽の水位が満水でなければ、前記第１バルブ及び前記第２バルブを全て開ける同時ドレイン段階と、
前記第１水槽と前記第２水槽の中で少なくとも一つが満水であれば、前記第１バルブ及び前記第２バルブを全て閉め、満水を外部に知らせ、除湿機の運転を停止する停止段階とを含む、除湿機の制御方法。
【発明の詳細な説明】
【技術分野】
【０００１】
本発明は除湿機に係り、より詳しくは熱交換器から落下した凝縮水を収容する水槽を持つ除湿機に関する。
【背景技術】
【０００２】
一般に、除湿機は室内のじめじめした空気を除湿する機器である。
【０００３】
除湿機は、室内空気が冷媒が流れるコンデンサー及び蒸発器からなる熱交換器を通過するようにして湿度を低下させた後、この除湿された空気を再び室内に吐き出すことで室内の湿度を低下させることができる。
【０００４】
除湿機は液状の冷媒を蒸発器で蒸発させることによって周囲の空気から熱を奪う方法を使うことができる。この場合、冷媒が蒸発するに伴って蒸発器の温度が低くなり、蒸発器を通過する空気の温度も低くなる。
【０００５】
したがって、蒸発器の周囲温度が下がるに伴い、空気に含まれている水分が凝縮して蒸発器の表面に露として結び、蒸発器の表面の露は水槽に落下する。
【発明の概要】
【発明が解決しようとする課題】
【０００６】
従来技術による除湿機は、単一水槽が装着され、水槽の容量が少ない場合、水槽に収容可能な凝縮水の量が少なくてひんぱんな排水作業が必要であり、水槽の容量が大きい場合、水槽がとても重くて水槽の排水作業が不便な問題点がある。
本発明の目的は、熱交換器から落下した凝縮水を収容する水槽を持つ除湿機を提供することにある。
【課題を解決するための手段】
【０００７】
本発明の除湿機は、空気吸入口及び空気吐出口が形成されたケースと、前記ケースの内部に配置され、前記空気吸入口を通じて吸入された空気が通過する熱交換器と、前記ケースに配置された第１水槽と、前記ケースに配置された第２水槽と、前記熱交換器から落下した凝縮水を前記第１水槽に案内する第１水路部と、前記熱交換器から落下した凝縮水を前記第２水槽に案内する第２水路部と、前記第１水路部を開閉する第１バルブと、前記第２水路部を開閉する第２バルブと、前記第１バルブ及び第２バルブを制御する制御部とを含む。
【０００８】
前記除湿機は、前記熱交換機の下側に位置し、前記第１水路部及び第２水路部が連結される第３水路部を持つドレインパンをさらに含むことができる。
【０００９】
前記第１水路部と前記第２水路部は離隔されることができる。
【００１０】
前記除湿機は、前記第１水槽の装着を感知する第１水槽感知部と、前記第２水槽の装着を感知する第２水槽感知部と、前記第１水槽の水位を感知する第１水槽水位感知部と、前記第２水槽の水位を感知する第２水槽水位感知部とをさらに含むことができ、前記制御部は、前記第１水槽感知部と、第２水槽感知部と、第１水槽水位感知部と、第２水槽水位感知部との感知結果によって前記第１バルブと第２バルブを制御することができる。
【００１１】
前記制御部は、強力除湿の際、前記第１バルブと第２バルブを全て開放制御することができる。
【００１２】
前記制御部は、前記第１バルブと前記第２バルブの中のいずれか一つの開放制御の際、他の一つを閉鎖制御することができる。
【００１３】
前記除湿機は、空気吸入口及び空気吐出口が形成されたケースと、前記ケースの内部に配置され、前記空気吸入口を通じて吸入された空気が通過する熱交換器と、前記ケースに配置された第１水槽と、前記ケースに配置された第２水槽と、前記熱交換器から落下した凝縮水を前記第１水槽に案内する第１水路部と、前記熱交換器から落下した凝縮水を前記第２水槽に案内する第２水路部と、前記第１水路部と第２水路部を開閉する三方バルブと、前記三方バルブを制御する制御部とを含むことができる。
【００１４】
前記除湿機は、前記熱交換機の下側に位置し、前記三方バルブが連結されるドレインパンをさらに含むができる。
【００１５】
前記第１水路部と前記第２水路部は離隔されることができる。
【００１６】
前記除湿機は、前記第１水槽の装着を感知する第１水槽感知部と、前記第２水槽の装着を感知する第２水槽感知部と、前記第１水槽の水位を感知する第１水槽水位感知部と、前記第２水槽の水位を感知する第２水槽水位感知部とをさらに含むことができ、前記制御部は、前記第１水槽感知部と、第２水槽感知部と、第１水槽水位感知部と、第２水槽水位感知部との感知結果によって前記三方バルブを制御することができる。
【００１７】
本発明の除湿機の制御方法は、熱交換器と、第１水槽と、第２水槽と、前記熱交換器から落下した凝縮水を前記第１水槽に案内する第１水路部と、前記熱交換器から落下した凝縮水を前記第２水槽に案内する第２水路部と、前記第１水路部を開閉する第１バルブと、前記第２水路部を開閉する第２バルブとを含む除湿機の制御方法であって、前記第１水槽が装着されており、前記第１水槽の水位が満水でなければ、前記第１水槽に流れる凝縮水を断続する第１バルブを開け、前記第２バルブを閉める第１水槽ドレイン段階と、前記第１水槽の水位が満水であり、前記第２水槽が装着されており、前記第２水槽の水位が満水でなければ、前記第１バルブを閉め、前記第２バルブを開ける第２水槽ドレイン段階とを含む。
【００１８】
前記方法は、前記第２水槽が満水であれば、前記第２バルブを閉め、満水を外部に知らせ、除湿機の運転を停止する停止段階をさらに含むができる。
【００１９】
本発明の除湿機の制御方法は、熱交換器と、第１水槽と、第２水槽と、前記熱交換器から落下した凝縮水を前記第１水槽に案内する第１水路部と、前記熱交換器から落下した凝縮水を前記第２水槽に案内する第２水路部と、前記第１水路部を開閉する第１バルブと、前記第２水路部を開閉する第２バルブとを含む除湿機の制御方法であって、強力除湿の際、前記第１水槽及び前記第２水槽が共に装着されており、前記第１水槽の水位が満水でなく、前記第２水槽の水位が満水でなければ、前記第１バルブ及び前記第２バルブを全て開ける同時ドレイン段階と、前記第１水槽と前記第２水槽の中で少なくとも一つが満水であれば、前記第１バルブ及び前記第２バルブを全て閉め、満水を外部に知らせ、除湿機の運転を停止する停止段階とを含む。
【発明の効果】
【００２０】
本発明は第１水槽と第２水槽に凝縮水を一緒に或いは順次ドレインすることができるので、除湿機を長期間使うことができ、第１水槽と第２水槽の満水の際、第１水槽と第２水槽を個別的に排水することができ、大きくて重い単一水槽を排水する場合より排水作業が便利な利点がある。
【図面の簡単な説明】
【００２１】
【図１】本発明による除湿機の一実施例を示した斜視図である。
【図２】本発明による除湿機の一実施例の第１水槽と第２水槽が分離されたときの斜視図である。
【図３】本発明による除湿機の一実施例の縦断面図である。
【図４】本発明による除湿機の一実施例の熱交換器、第１水槽及び第２水槽を示した図である。
【図５】本発明による除湿機の一実施例の制御ブロック図である。
【図６】本発明による除湿機の制御方法の一実施例を示したフローチャートである。
【図７】本発明による除湿機の制御方法の他の実施例を示したフローチャートである。
【図８】本発明による除湿機の他の実施例の熱交換器、第１水槽及び第２水槽を示した図である。
【図９】本発明による除湿機の他の実施例の制御ブロック図である。
【発明を実施するための形態】
【００２２】
以下、本発明の実施例を添付図面に基づいて詳細に説明する。
【００２３】
図１は本発明による除湿機の一実施例を示した斜視図、図２は本発明による除湿機の一実施例の第１水槽と第２水槽が分離されたときの斜視図、図３は本発明による除湿機の一実施例の縦断面図、図４は本発明による除湿機の一実施例の熱交換器、第１水槽及び第２水槽を示した図、図５は本発明による除湿機の一実施例の制御ブロック図である。
【００２４】
本発明による除湿機は、空気吸入口２及び空気吐出口４が形成されたケース６と、ケース６の内部に配置され、空気吸入口２に吸入された空気が通過する熱交換器８と、ケース６に配置された第１水槽２１と、ケース６に配置された第２水槽２２とを含む。
【００２５】
除湿機は、空気吐出口４に回転可能に配設され、空気吐出口４から吐き出される空気の風向を調節する風向調節ベイン１４をさらに含むことができる。
【００２６】
除湿機は、空気吸入口２を通じて空気を吸入して熱交換器８を通過させた後、空気吐出口４に吐き出す送風ファン１５をさらに含むことができる。送風ファン１５はケース６の内部に配置できる。送風ファン１５は空気流動方向に熱交換器８と空気吐出口４の間に位置することができる。
【００２７】
ケース６は、第１水槽２１と第２水槽２２が装着されるベース１６を含むことができる。ケース６は、除湿機の背面外観をなすバックカバー１７と、除湿機の前面外観をなすフロントカバー１８をさらに含むことができる。ケース６は、除湿機の上面外観をなすトップカバー１９をさらに含むことができる。ケース６は、除湿機の側面外観をなすサイドカバー２０をさらに含むことができる。
【００２８】
除湿機６は、バックカバー１７とサイドカバー２０の中で少なくとも一方に空気吸入口２が形成できる。
【００２９】
除湿機は、トップカバー１９に空気吐出口４が形成でき、トップカバー１９は除湿機の内部で除湿された空気が外部に吐き出される吐出パネル１９であることができる。
【００３０】
第１水槽２１と第２水槽２２は除湿機の左右方向に着脱可能であり、また除湿機の前後方向に着脱可能である。
【００３１】
第１水槽２１及び第２水槽２２が除湿機の左右方向に着脱される場合、サイドカバー２０は下端がベース１６から離隔することができ、第１水槽２１及び第２水槽２２はサイドカバー２０の下端とベース１６の間に出入可能である。
【００３２】
第１水槽２１及び第２水槽２２が除湿機の前後方向に着脱される場合、フロントカバー１８は下端がベース１６から離隔することができ、第１水槽２１及び第２水槽２２はフロントカバー１８の下端とベース１６の間に出入可能である。
【００３３】
除湿機は、冷媒が循環される冷凍サイクル装置を含むことができる。冷凍サイクル装置はケース６の内部に装着できる。冷凍サイクル装置は、冷媒を圧縮する圧縮機９と、圧縮機９に冷媒流路を介して連結され、圧縮機９で圧縮された冷媒を凝縮させるコンデンサー１０と、コンデンサー１０に冷媒流路を介して連結され、コンデンサー１０で凝縮された冷媒を膨脹させる膨脹器具（図示せず）と、膨脹器具に冷媒流路を介して連結され、膨脹器具で膨脹された冷媒を室内で流入した空気と熱交換させて蒸発させる熱交換器８とを含むことができる。冷凍サイクル装置は、空気の流動方向に熱交換器８の後にコンデンサー１０が配置でき、空気は熱交換器８と熱交換して除湿された後、コンデンサー１０を通過しながら昇温できる。熱交換器８は、冷媒が通過するチューブを含むことができる。この場合、熱交換器８は空気と冷媒を熱交換させる空気−冷媒の熱交換器であることができる。空気吸入口２に吸入された空気は熱交換器８と熱交換されることができ、熱交換器８の表面には空気中の水分が凝縮することができ、熱交換器８の表面には凝縮水が落下することができる。
【００３４】
一方、除湿機は、除湿剤を通過する空気から除湿剤に水分を吸収する除湿機からなることができる。除湿機は除湿剤を含む除湿ローターを含むことができ、空気吸入口２に吸入された空気は熱交換器８と除湿ローターを順次通過することができる。熱交換器８を通過した空気が除湿ローターを通過するうち、空気中の水分が除湿ローターに吸収できる。除湿ローターに水分が吸収された空気は送風ファン１５によって空気吐出口４に吐き出されることができる。送風ファン１５はケース６の内部に設置でき、空気が空気吸入口２と熱交換器８と除湿ローターを順次通過した後、空気吐出口４に吐き出されるように駆動できる。除湿ローターを含む除湿機は空気を加熱する電気ヒーターをさらに含むことができ、空気を電気ヒーター、除湿ローター及び熱交換器８の内部と再生ダクトの順に流動させる再生ファンをさらに含むことができる。除湿機は、除湿ローターを回転可能に支持する除湿ローターサポーターと、除湿ローターを回転させる除湿ローター回転器具をさらに含むことができる。除湿機は、除湿ローターを通過しながら除湿ローターの水分を吸収した多湿な空気が熱交換器８の内部で凝縮でき、凝縮水は熱交換器８の内部で凝縮水排出口を通じて熱交換器８の外部に排出でき、熱交換器８の内部には凝縮水が落下することができる。
【００３５】
除湿機は、空気−冷媒熱交換器を含む場合と除湿剤を含む場合、それぞれ熱交換器８で凝縮水が発生して落下することができ、このような凝縮水は第１水槽２１と第２水槽２２に流動して収容できる。
【００３６】
除湿機は凝縮水を収容する水槽の容量が大きいほど水槽を開ける回数を減らすことができ、使用の便宜性のために水槽の容量はなるべく大きいことが好ましい。しかし、水槽の容量があまり大きい場合、水槽に収容される凝縮水の量が過多になることがあり、水槽の排水作業のために水槽を運ぶとき、あまり重くて水槽の排水作業が難しくなることがある。すなわち、除湿機は一つの大型水槽よりは複数の水槽を含むことが使用の便宜性を高めることができる。
【００３７】
除湿機は、第１水槽２１と第２水槽２２のそれぞれに凝縮水を収容する場合、第１水槽２１の容量と第２水槽２２の容量の和の凝縮水を除湿機に収容することができ、第１水槽２１と第２水槽２２の排水作業の際、それぞれ独立的に排水することができるので、大きな力を入れなくても第１水槽２１と第２水槽２２を排水することができる。
【００３８】
第１水槽２１及び第２水槽２２のそれぞれは、凝縮水を収容することができる空間が形成された筒体と、筒体の上部を覆い、凝縮水が流入することができる凝縮水流入孔が形成されたカバーとを含むことができる。第１水槽２１と第２水槽２２は除湿機の内部に離隔して設置できる。
【００３９】
除湿機は、熱交換器８から落下した凝縮水を第１水槽２１と第２水槽２２に案内することができる凝縮水調節器具３０を含むことができる。凝縮水調節器具３０は、熱交換器８から落下した凝縮水を受けて第１水槽２１に案内する第１水槽ドレインモードと、熱交換器８から落下した凝縮水を受けて第２水槽２２に案内する第２水槽ドレインモードとを持つことができる。凝縮水調節器具３０は、熱交換器８から落下した凝縮水を受けて第１水槽２１と第２水槽２２に共に案内する同時ドレインモードを持つことができる。凝縮水調節器具３０は、熱交換器８から落下した凝縮水を受けるが第１水槽２１と第２水槽２２に案内しないドレイン停止モードを持つことができる。
【００４０】
除湿機は、熱交換器８から落下した凝縮水を第１水槽２１に案内する第１水路部３２を含むことができ、熱交換器８から落下した凝縮水を第２水槽２２に案内する第２水路部３４を含むことができる。第１水路部３２と第２水路部３４は離隔することができる。第１水路部３２は第１水槽２１と第２水槽２２の中で第１水槽２１により近づくように位置することができる。第２水路部３４は第１水槽２１と第２水槽２２の中で第２水槽２２により近づくように位置することができる。
【００４１】
除湿機は、熱交換器８から落下した凝縮水を受けて第１水路部３２と第２水路部３４に案内することができる第３水路部３６をさらに含むことができる。
【００４２】
除湿機は、熱交換器８の下側に配置されるドレインパン３１をさらに含むことができる。ドレインパン３１には熱交換器６から落下した凝縮水を受け、凝縮水が流れるようにする第３水路部３６が形成できる。
【００４３】
第１水路部３２と第２水路部３４は熱交換器８から落下した凝縮水を直接受けて案内することができ、第３水路部３６に連結され、第３水路部３６から流動した凝縮水を受けて案内することができる。
【００４４】
除湿機が第３水路部３６をさらに含む場合、凝縮水のドレイン方向に第１水路部３２と第２水路部３４は第３水路部３６から分岐される構造とすることができる。以下、除湿機はドレインパン３１を含む例を挙げて説明する。
【００４５】
熱交換器８から落下した凝縮水は第３水路部３６に沿って流すことができ、凝縮水は第３水路部３６から第１水路部３２と第２水路部３４に案内できる。
【００４６】
第１水路部３２と第２水路部３４は少なくとも一つがドレインパン３１と一体的に形成されてドレインパン３１の一部を構成することができ、それぞれが別の部品から構成されてドレインパン３１にそれぞれ装着できるのは言うまでもない。
【００４７】
第１水路部３２は内部に水路が形成された管状であり得る。第１水路部３２は、入口３２Ａが第３水路部３６に位置することができる。第１水路部３２は、出口３２Ｂが第１水槽２１の上側に位置することができる。第１水路部３２は少なくとも１回折り曲げられることができる。第１水路部３２は第３水路部３６から側方に又は前後方向に突出する突出部と、突出部から折り曲げられ、第１水槽２１の上面に向かう折曲部とを含むことができる。第１水路部３２は、突出部に入口３２Ａを形成でき、折曲部に出口３２Ｂを形成できる。
【００４８】
第２水路部３４は内部に水路が形成された管状であり得る。第２水路部３４は入口３４Ａが第３水路部３６に位置することができる。第２水路部３４は、出口３４Ｂが第２水槽２２の上側に位置することができる。第２水路部３４は少なくとも１回折り曲げられることができる。第２水路部３４は、第３水路部３６に側方に又は前後方向に突出する突出部と、突出部から折り曲げられた折曲部とを含むことができる。第２水路部３４は、突出部に入口３４Ａが形成でき、折曲部に出口３４Ｂが形成できる。
【００４９】
第３水路部３６は熱交換器８に平行な方向に長く形成できる。第３水路部３６は、下板３７と突出部３８を含むことができ、上面が開くことができる。ドレインパン３１は、下板３７が熱交換器８の下側に位置することができ、突出部３８が下板３７に上向きに突出することができる。突出部３８は、下板３７に突設された少なくとも一つのリブを含むことができ、凝縮水をこのような少なくとも一つのリブに沿って流れることができる。
【００５０】
熱交換器８から落下した凝縮水は第３水路部３６の開いた上面を通じて下板３７の上面に落下することができ、下板３７に沿って流れて第１水路部３２と第２水路部３４に流れることができる。
【００５１】
ドレインパン３１は、第３水路部３６の凝縮水が第１水路部３２と第２水路部３４に共に流れることができるように構成できる。
【００５２】
除湿機は、第１水路部３２を開閉する第１バルブ４０と、第２水路部３４を開閉する第２バルブ５０と、第１バルブ４０と第２バルブ５０を制御する制御部６０とをさらに含む。第１水路部３２、第２水路部３４及び第３水路部３６と第１バルブ４０及び第２バルブ５０は一緒に凝縮水を調節することができる凝縮水調節器具３０とすることができる。
【００５３】
第１バルブ４０と第２バルブ５０はそれぞれ独立に設置され、それぞれ独立に制御できる。
【００５４】
第１バルブ４０は、凝縮水が第１水路部３２を通過して第１水槽２１にドレインされるように、第１水路部３２を開けることができる。第１バルブ４０は、第１水槽２１に凝縮水がドレインされないように、第１水路部３２を遮蔽することができる。第１バルブ４０はソレノイドバルブのような通常の流体開閉バルブからなることができる。
【００５５】
第１バルブ４０は凝縮水の流動方向に第３水路部３６と第１水路部３２の間に配置され、第１水路部３２に流入する凝縮水を断続することができる。第１バルブ４０は第１水路部３２の入口３２Ａに設置され、入口３２Ａを開閉することができる。
【００５６】
除湿機は、第１水路部３２が第３水路部３６に連結され、第１バルブ４０が凝縮水の流動方向に第１水路部３２の後に配置され、第１水路部３２を通過した凝縮水を断続することができる。第１バルブ４０は第１水路部３２の出口３２Ｂに取り付けられ、出口３２Ｂを開閉することができる。
【００５７】
除湿機は、第１水路部３２が第３水路部３６に連結され、第１バルブ４０が第１水路部３２の入口３２Ａと出口３２Ｂの間に取り付けられ、入口３２Ａと出口３２Ｂの間を開閉することができる。第１水路部３２は凝縮水の流動方向に第１バルブ４０を挟んで離隔する一対のパイプ部を含むこともできるのは言うまでもない。この場合、一対のパイプ部の中でいずれか一つのパイプ部が第３水路部３６に連結され、一対のパイプ部の中で他のパイプ部が第１水槽２１に凝縮水を排出することができる。
【００５８】
第２バルブ５０は、凝縮水が第２水路部３４を通過して第２水槽２２にドレインされるように、第２水路部３４を開けることができる。第２バルブ５０は、第２水槽２２に凝縮水がドレインされないように、第２水路部３４を遮蔽することができる。第２バルブ５０はソレノイドバルブのような通常の流体開閉バルブからなることができる。
【００５９】
第２バルブ５０は凝縮水の流動方向に第３水路部３６と第２水路部３４の間に配置され、第２水路部３４に流入する凝縮水を断続することができる。第２バルブ５０は第２水路部３４の入口３４Ａに取り付けられ、入口３４Ａを開閉することができる。
【００６０】
除湿機は、第２水路部３４が第３水路部３６に連結され、第２バルブ５０が凝縮水の流動方向に第２水路部３４の後に配置され、第２水路部３４を通過した凝縮水を断続することができる。第２バルブ５０は第２水路部３４の出口３４Ｂに設置され、出口３４Ｂを開閉することができる。
【００６１】
除湿機は、第２水路部３４が第３水路部３６に連結され、第２バルブ５０が第２水路部３４の入口３４Ａと出口３４Ｂの間に取り付けられ、入口３４Ａと出口３４Ｂの間を開閉することができる。第２水路部３４は凝縮水の流動方向に第２バルブ５０を挟んで離隔する一対のパイプ部を含むこともできるのは言うまでもない。この場合、一対のパイプ部の中でいずれか一つのパイプ部が第３水路部３６に連結され、一対のパイプ部の中で他のパイプ部が第２水槽２２に凝縮水を排出することができる。
【００６２】
除湿機は、第１水槽２１の装着を感知する第１水槽感知部７２と、第２水槽２２の装着を感知する第２水槽感知部７４と、第１水槽２１の水位を感知する第１水槽水位感知部７６と、第２水槽の水位を感知する第２水槽水位感知部７８とをさらに含むことができる。
【００６３】
第１水槽感知部７２は、第１水槽２１の装着の際、第１水槽２１によって切り替わるスイッチを含むことができる。第１水槽感知部７２は、第１水槽２１が除湿機の内部の定位置に進入すれば、第１水槽２１によってオンに切り替えることができ、第１水槽２１が除湿機の内部の定位置から外れれば、オフとすることができる。
【００６４】
第２水槽感知部７４は第１水槽感知部７２と同一構造であることができ、第２水槽２２の装着の際、第２水槽２２によって切り替わるスイッチを含むことができる。第２水槽感知部７４は、第２水槽２２が除湿機の内部の定位置に進入すれば、第２水槽２２によってオンに切り替えることができ、第２水槽２２が除湿機の内部の定位置から外れれば、オフとすることができる。
【００６５】
第１水槽２１には第１水槽２１の水によって回転すると動くレバーを配置でき、第１水槽水位感知部７６は、第１水槽２１の水位が満水であるとき、レバーによってオンに切り替わるスイッチを含むことができる。第１水槽水位感知部７６は光を用いて第１水槽２１の満水を感知する光センサーから構成することもできるのはもちろんのこと、第１水槽２１の水位を感知することができる多様な種類のセンサーが利用できる。
【００６６】
第２水槽２２には第２水槽２２の水によって回転すると動くレバーを配置でき、第２水槽水位感知部７８は、第２水槽２２の水位が満水であるとき、レバーによってオンに切り替わるスイッチを含むことができる。第２水槽水位感知部７８は光を用いて第２水槽２２の満水を感知する光センサーからなることもできるのはもちろんのこと、第２水槽２２の水位を感知することができる多様な種類のセンサーが利用できる。
【００６７】
制御部６０は、第１水槽感知部７２、第２水槽感知部７４、第１水槽水位感知部７６、及び第２水槽水位感知部７８の感知結果によって第１バルブ４０と第２バルブ５０を制御することができる。
【００６８】
制御部６０は、第１バルブ４０と第２バルブ５０の中でいずれか一つを開放制御し、他の一つを閉鎖制御することができる。制御部６０は、第１バルブ４０と第２バルブ５０を共に開放制御することができる。制御部６０は第１バルブ４０と第２バルブ５０を共に閉鎖制御することができる。
【００６９】
制御部６０は、熱交換器８から多量の凝縮水が落下する場合、第１バルブ４０と第２バルブ５０を共に開放制御することができる。すなわち、制御部６０は、強力除湿の際、第１バルブ４０と第２バルブ５０を共に開放制御することができる。ここで、強力除湿は除湿量が多いモードで、一般除湿モードは区分されるモードであることができる。
【００７０】
制御部６０は、第１バルブ４０と第２バルブ５０の中でいずれか一つの開放制御の際、他の一つを閉鎖制御することができる。制御部６０は、第１水槽２１が満水であるか或いは第１水槽２１が装着された状態でない場合、第１バルブ４０を閉めることができる。制御部６０は、第２水槽２２が満水であるか或いは第２水槽２２が装着された状態でない場合、第２バルブ５０を閉めることができる。
【００７１】
制御部６０は、定位置に装着され、満水でない水槽に凝縮水を供給するバルブを開放制御することができ、定位置に装着できないかあるいは満水の水路に凝縮水を供給するバルブを閉鎖制御することができる。
【００７２】
除湿機は、使用者が除湿機を操作することができるようにする操作部８０と、除湿機の満水を知らせる通知器具とをさらに含むことができる。
【００７３】
操作部８０はケース６に取り付けられることができる。除湿機の運転及び停止を入力することができる運転及び停止入力部を含むことができる。操作部８０は、除湿機の強力除湿モードを入力することができる強力除湿入力部を含むことができる。
【００７４】
ここで、除湿機の満水は水槽２１、２２の満水であり、通知器具はディスプレイ９０又はブザーなどからなることができる。
【００７５】
通知器具がディスプレイ９０の場合、ディスプレイ９０はＬＣＤ又はＬＥＤを含むことができる。ディスプレイ９０は第１水槽２１の満水を外部に表示することができる。ディスプレイ９０は第２水槽２２の満水を外部に表示することができる。ディスプレイ９０は第１水槽２１の満水と第２水槽２２の満水をそれぞれ独立に表示することができ、使用者などは満水の水槽を確認し、これを空けることができる。
【００７６】
図６は本発明による除湿機の制御方法の一実施例を示したフローチャートである。
【００７７】
除湿機の制御方法は、第１水槽２１が装着されており、第１水槽２２の水位が満水でなければ、第１水槽２１に流れる凝縮水を断続する第１バルブ４０開け、第２水槽２２に流れる凝縮水を断続する第２バルブ５０を閉める第１水槽ドレイン段階（Ｓ１）、（Ｓ２）、（Ｓ３）、（Ｓ４）を実施する。
【００７８】
第１水槽感知部７２は、第１水槽２１が装着された場合にオンに切り替わって制御部６０に第１水槽２１の装着信号を出力することができ、制御部６０は、第１水槽感知部７２の信号によって第１水槽２１が現在正常に装着されたと判断することができる（Ｓ１）。第１水槽水位感知部７６は第１水槽２１が満水でなければオフになり、制御部６０は、第１水槽水位感知部７６から満水信号が出力されなかったことから第１水槽２１が満水でないと判断することができる（Ｓ２）。
【００７９】
制御部６０は、第１バルブ４０が閉まっている状態であれば、第１バルブ４０を開けることができる（Ｓ３）。制御部６０は、第２バルブ５０が閉まっている状態であれば、第２バルブ５０の状態を維持することができ、第２バルブ５０が開いていれば、第２バルブ５０を閉めることができる。
【００８０】
第１バルブ４０が開いており、第２バルブ５０が閉まっていれば、熱交換器８から落下した凝縮水は第１バルブ４０及び第１水路部３２を通過して第１水槽２１に落下し、第１水槽２１には熱交換器８から落下して流動した凝縮水が徐々に満たされる。
【００８１】
制御部６０は、前記のような第１バルブ４０の開放の後、第１水槽水位感知部７６の感知結果によって、第１水槽ドレイン段階を持続するか完了することができる。
【００８２】
制御部６０は、第１バルブ４０の開放の後、第１水槽水位感知部７６から満水信号が出力されれば、第１水槽ドレイン段階を中断させることができる（Ｓ４）。
【００８３】
一方、除湿機の制御方法は、第１水槽２１が装着されていなければ、第１バルブ４０を開けないで、後述する第２水槽ドレイン段階を開始することができる（Ｓ１）、（Ｓ５）。また、除湿機の制御方法は、第１水槽２１が装着されているが第１水槽２１が満水の水位であれば、第１バルブ４０を開けないで、第２水槽ドレイン段階を開始することができる（Ｓ１）、（Ｓ２）、（Ｓ５）。
【００８４】
除湿機の制御方法は、第１水槽２１の水位が満水であり、第２水槽２２が装着されており、第２水槽２２の水位が満水でなければ、第１バルブ４０を閉め、第２バルブ５０を開ける第２水槽ドレイン段階（Ｓ５）、（Ｓ６）、（Ｓ７）、（Ｓ８）を含むことができる。
【００８５】
第２水槽感知部７４は、第２水槽２２が装着された場合、オンに切り替わって制御部６０に第２水槽２２の装着信号を出力することができ、制御部６０は、第２水槽感知部７４の信号によって第２水槽２２が現在正常に装着されていると判断することができる（Ｓ５）。第２水槽水位感知部７８は、第２水槽２２が満水でなければオフになり、制御部６０は、第２水槽水位感知部７８から満水信号が出力されなかったことから第２水槽２２が満水ではないと判断することができる（Ｓ６）。
【００８６】
制御部６０は第１バルブ４０を閉め、第２バルブ５０を開けることができる（Ｓ７）。第１バルブ４０が閉まっており、第２バルブ５０が開いていれば、熱交換器８から落下した凝縮水はそれ以上第１バルブ４０及び第１水路部３２に流動しないで、第２バルブ５０及び第２水路部３４を通過して第２水槽２２に落下し、第２水槽２２には熱交換器８から落下して流動した凝縮水が徐々に満たされる。
【００８７】
一方、第２水槽ドレイン段階（Ｓ５）、（Ｓ６）、（Ｓ７）、（Ｓ８）は第１水槽２の満水を外部に知らせることができる。制御部６０は、第２水槽ドレイン段階の開始の際又は第２水槽ドレイン段階中、ディスプレイ９０に第１水槽２１の満水信号を出力することができ、ディスプレイ９０は外部に第１水槽２１の満水を表示することができる。
【００８８】
一方、制御部６０は、第１水槽２１が装着されていないかあるいは第１水槽２１が満水である状況で第２水槽２２が現在装着されていなければ、第２バルブ５０を開けないで、除湿機の運転を停止することができる（Ｓ５）、（Ｓ１０）。ここで、除湿機の運転停止は後述する。
【００８９】
一方、制御部６０は第１水槽２１が装着されていないか或いは第１水槽２１が満水である状況で第２水槽２２が現在装着されているが第２水槽２２が満水であれば、第２バルブ５０を開けないで、除湿機の運転を停止することができる（Ｓ５）、（Ｓ６）、（Ｓ１１）。このように、第２水槽２２が装着されているが第２水槽２２が満水である場合、制御部６０は第２水槽２２の満水を外部に知らせることができる。制御部６０は、ディスプレイ９０に満水信号を出力することができる。
【００９０】
制御部６０は、前記のような第２バルブ５０の開放の後、第２水槽水位感知部７８の感知結果によって、第２水槽ドレイン段階を持続するか或いは完了することができる。制御部６０は、第２バルブ５０の開放の後、第２水槽水位感知部７８から満水信号が出力されれば、第２水槽ドレイン段階を中断させることができる（Ｓ８）。
【００９１】
除湿機の制御方法は、第２水槽２２が満水であれば、第２バルブ５０を閉め、除湿機の運転を停止する停止段階Ｓ９をさらに含むことができる。第２バルブ５０が閉まっているとき、熱交換器８から落下した凝縮水はそれ以上第２水槽２２にドレインされない。
【００９２】
ここで、除湿機の運転停止は、除湿機がそれ以上除湿しないように除湿機を停止させるもので、熱交換器８に空気を送風する送風ファン１５を停止させることができる。除湿機が圧縮機９を含む場合、制御部６０は圧縮機９を停止させることができる。除湿機が除湿剤を含む場合、制御部６０は、再生ファン、電気ヒーター、除湿ローター回転器具などを全て停止させることができる。
【００９３】
一方、停止段階Ｓ９は、第２水槽２２の満水を外部に知らせることができる。制御部６０は、第２バルブ５０の閉鎖前に又は第２バルブ５０の閉鎖と同時にディスプレイ９０に満水信号を出力することができる。制御部６０は、送風ファン１５の停止前に又は送風ファン１５の停止と同時にディスプレイ９０に満水信号を出力することができる。
【００９４】
図７は本発明による除湿機の制御方法の他の実施例を示したフローチャートである。
【００９５】
除湿機の制御方法は、強力除湿の際、第１水槽２１及び第２水槽２２が共に装着されており、第１水槽２１の水位が満水でなく、第２水槽２２の水位が満水でなければ、第１水槽２１に流れる凝縮水を断続する第１バルブ４０及び第２水槽２２に流れる凝縮水を断続する第２バルブ５０を共に開ける同時ドレイン段階（Ｓ２１）、（Ｓ２２）、（Ｓ２３）、（Ｓ２４）、（Ｓ２５）、（Ｓ２６）、（Ｓ２７）を実施することができる。
【００９６】
ここで、強力除湿は操作部８０の操作によって入力可能な強力除湿モードであることができる。強力除湿は一般除湿よりは除湿能力が高い高負荷モードであることができる。制御部６０は、強力除湿の際、送風機１５を高風量モードで制御することができ、圧縮機９を高負荷モードで制御することができ、除湿機は強力除湿が入力されない一般除湿の場合より室内をより速かに除湿することができる。ここで、一般除湿は図６に示した除湿機の制御方法の一実施例（Ｓ１〜Ｓ１１）と同様であることができる。
【００９７】
制御部６０は、強力除湿が入力されずに、除湿機が運転されれば、図６に示した除湿機の制御方法の一実施例のように除湿機を制御することができ、強力除湿が入力された後に除湿機が運転されれば、図７に示したように、同時ドレイン段階を開始することができる。
【００９８】
制御部６０は、第１バルブ４０が閉まっている状態であれば、同時ドレイン段階の際、第１バルブ４０を開けることができる（Ｓ２６）。制御部６０は、第２バルブ５０が閉まっている状態であれば、同時ドレイン段階の際、第２バルブ５０を開けることができる（Ｓ２６）。
【００９９】
第１バルブ４０が開いており、第２バルブ５０が開いていれば、熱交換器８から落下した凝縮水の一部は第１バルブ４０及び第１水路部３２を通過して第１水槽２１に落下することができ、残りは第２バルブ５０及び第２水路部３４を通過して第２水槽２２に落下することができる。第１水槽２１には熱交換器８から落下して流動した凝縮水が徐々に満たされ、第２水槽２２には熱交換器８から落下して流動した凝縮水が徐々に満たされる。熱交換器８から落下した凝縮水は同時に第１水槽２１と第２水槽２２に分散されて収容できる。
【０１００】
制御部６０は、前記のような第１バルブ４０の開放及び第２バルブ５０の開放の後、第１水槽水位感知部７６の感知結果及び第２水槽水位感知部７６の感知結果によって、同時ドレイン段階を持続するか或いは完了することができる。
【０１０１】
除湿機の制御方法は、同時ドレイン段階中に第１水槽２１と第２水槽２２の中で少なくとも一つが満水であれば、第１バルブ４０及び第２バルブ５０を共に閉め、満水を外部に知らせ、除湿機の運転を停止する停止段階（Ｓ２８）を含む。
【０１０２】
この実施例は満水の通知及び除湿機の運転停止が本発明一実施例と同一乃至類似とすることができ、それについての詳細な説明は省略する。
【０１０３】
一方、除湿機の制御方法は、強力除湿の際、第１水槽２１が装着されていなければ、前記のような同時ドレイン段階（Ｓ２１）、（Ｓ２２）、（Ｓ２３）、（Ｓ２４）、（Ｓ２５）、（Ｓ２６）、（Ｓ２７）と停止段階（Ｓ２８）を順次実施しないで、第２水槽ドレイン段階（Ｓ２９〜Ｓ３２）を開始することができる。除湿機の制御方法は、強力除湿の際、第１水槽２１が装着されているが第１水槽２１が満水であれば、第２水槽ドレイン段階（Ｓ２９〜Ｓ３２）を開始することができる。
【０１０４】
第２水槽ドレイン段階（Ｓ２９〜Ｓ３２）は、強力除湿の際、第１水槽２１が装着されておらず、第２水槽２２が装着されており、第２水槽２２が満水でない場合に開始することができる。第２水槽ドレイン段階（Ｓ２９〜Ｓ３２）は、強力除湿の際、第１水槽２１が装着されており、第１水槽２１が満水であり、第２水槽２２が装着されており、第２水槽２２が満水でない場合に開始することができる。
【０１０５】
制御部６０は、第２水槽ドレイン段階の際、第２バルブ５０を開けることができる。制御部６０は、第２バルブ５０が現在開いていれば、開放状態を維持することができ、第２バルブ５０が現在閉まっていれば、閉まっている第２バルブ５０を開けることができる。そして、制御部６０は、第２バルブ５０が開いているとき、第１バルブ４０が現在閉まっていれば、第１バルブ４０の閉鎖を維持させることができ、第１バルブ４０が現在開いていれば、開いている第１バルブ４０を閉めることができる。
【０１０６】
第２バルブ５０が開いているとき、熱交換器８から落下した凝縮水は第２バルブ５０及び第２水路部３４を通過して第２水槽２２にドレイン（排水）することができ、第２水槽２２は凝縮水が徐々に満たされることができる。
【０１０７】
一方、除湿機の制御方法は、第２水槽ドレイン段階（Ｓ２９〜Ｓ３２）中に第２水槽２２が満水であれば、第２バルブ５０を閉め、満水を外部に知らせ、除湿機の運転を停止する停止段階（Ｓ３３）を含むことができる。第２バルブ５０が閉まっているとき、凝縮水は第２水槽５０にそれ以上ドレインされない。
【０１０８】
一方、除湿機の制御方法は、強力除湿の際、第１水槽２１が装着されており、第２水槽２２が装着されていなければ、除湿機を運転しないこともできる（Ｓ２２）、（Ｓ２９）、（Ｓ３４）。また、除湿機の制御方法は、強力除湿の際、第１水槽２１が装着されており、第１水槽２１が満水であり、第２水槽２２が装着されていなければ、除湿機を運転しないこともできる（Ｓ２２）、（Ｓ２３）、（Ｓ２９）、（Ｓ３４）。
【０１０９】
また、除湿機の制御方法は、強力除湿の際、第１水槽２１が装着されておらず、第２水槽２２が装着されているが第２水槽２２が満水であれば、除湿機を運転しないで、満水を知らせることができる（Ｓ２２）、（Ｓ２９）、（Ｓ３０）、（Ｓ３５）。また、除湿機の制御方法は、強力除湿の際、第１水槽２１が装着されており、第１水槽２１が満水であり、第２水槽２２が装着されているが第２水槽２２が満水であれば、除湿機を運転しないで、満水を知らせることができる（Ｓ２２）、（Ｓ２３）、（Ｓ２９）、（Ｓ３０）、（Ｓ３５）。
【０１１０】
一方、除湿機の制御方法は、強力除湿の際、第１水槽２１が装着されており、第１水槽２１が満水でなく、第２水槽２２が装着されていなければ、前記のような同時ドレイン段階（Ｓ２１）、（Ｓ２２）、（Ｓ２３）、（Ｓ２４）、（Ｓ２５）、（Ｓ２６）、（Ｓ２７）と停止段階（Ｓ２８）を順次実施しないで、第１水槽ドレイン段階（Ｓ３６）、（Ｓ３７）を開始することができる。
【０１１１】
そして、除湿機の制御方法は、強力除湿の際、第１水槽２１が装着されており、第１水槽２１が満水でなく、第２水槽２２が装着されており、第２水槽２２が満水であれば、第１水槽ドレイン段階（Ｓ３６）、（Ｓ３７）を開始することができる。
【０１１２】
制御部６０は、第１水槽ドレイン段階の際、第１バルブ４０を開けることができる。制御部６０は、第１バルブ４０が現在開いていれば、開放状態を維持することができ、第１バルブ４０が現在閉まっていれば、第１バルブ４０を開けることができる。制御部６０は、第２バルブ５０が現在閉まっていれば、閉まっている第２バルブ５０を閉鎖状態に維持することができる。
【０１１３】
第１バルブ４０が開いているとき、熱交換器８から落下した凝縮水は第１バルブ４０及び第１水路部３２を通過して第１水槽２１にドレインすることができ、第１水槽２１は凝縮水を徐々に満たすることができる。
【０１１４】
一方、除湿機の制御方法は、第１水槽ドレイン段階（Ｓ３３）、（Ｓ３４）中に第１水槽２２が満水であれば、第１バルブ４０を閉め、満水を外部に知らせ、除湿機の運転を停止する停止段階（Ｓ３８）を含むことができる。第１バルブ４０が閉まっているとき、凝縮水は第１水槽５０にそれ以上ドレインされない。
【０１１５】
図８は本発明による除湿機の他の実施例の熱交換器、第１水槽及び第２水槽を示した図、図９は本発明による除湿機の他の実施例の制御ブロック図である。
【０１１６】
この実施例の凝縮水調節器具３０’は、三方バルブ１１０と、三方バルブ１１０にそれぞれ連結された第１水路部３２’と第２水路部３４’を含むことができる。三方バルブ１１０は制御部６０によって制御できる。この実施例は、凝縮水調節器具３０’以外の他の構成及び作用が本発明の第１実施例と同一乃至類似とすることができ、その構成部に同一符号を付け、それについての詳細な説明は省略する。
【０１１７】
凝縮水調節器具３０’は、本発明第１実施例のように第３水路部３６が形成されたドレインパン３１をさらに含むことができる。凝縮水調節器具３０’はドレインパン３１なしに三方バルブ１１０、第１水路部３２’及び第２水路部３４’を含むことができる。
【０１１８】
凝縮水調節器具３０’は、ドレインパン３１を含まない場合、三方バルブ１１０の入口部１１１が熱交換器８の凝縮水排出口に連結され、第１出口部１１２に第１水路部３２が連結され、第２出口部１１３に第２水路部３４が連結できる。
【０１１９】
凝縮水調節器具３０’は、ドレインパン３１をさらに含む場合、三方バルブ１１０の入口部１１１がドレインパン３１に設けられた凝縮水流出口３１ａに連結でき、第１出口部１１２に第１水路部３２’が連結され、第２出口部１１３に第２水路部３４’が連結できる。
【０１２０】
三方バルブ１１０は、第１水路部３２と第２水路部３４を通過する凝縮水を調節する凝縮水調節部とすることができる。三方バルブ１１０は第１水路部３２と第２水路部３４を開閉することができる水路部開閉部とすることができる。
【０１２１】
三方バルブ１１０は第１水路部３２と第２水路部３４をそれぞれ独立に開閉することができる。三方バルブ１１０は、一入口部１１１から第１出口部１１２及び第２出口部１１３に分岐される内部流路が形成されたバルブ体１１４と、バルブ体１１４の内部に回転又はスライド可能に配置されたバルブ体１１５と、バルブ体１１５を回転させるソレノイド、モーターなどの駆動源１１６とを含むことができる。三方バルブ１１０は、第１出口部１１２を開けて第２出口部１１３を塞ぐ第１モードと、第１出口部１１２を塞いで第２出口部１１３を開ける第２モードとを持つことができる。三方バルブ１１０は、第１出口部１１２と第２出口部１１３を全て開ける第３モードをさらに持つことができる。三方バルブ１１０は、第１出口部１１２と第２出口部１１３を全て塞ぐ第４モードをさらに持つことができる。
【０１２２】
第１水路部３２’は三方バルブ１１０から案内された凝縮水を第１水槽２１に案内することができる。
【０１２３】
第２水路部３４’は三方バルブ１１０から案内された凝縮水を第２水槽２２に案内することができる。
【０１２４】
この実施例の凝縮水調節器具３０’は、三方バルブ１１０の第１モードが本発明の第１実施例の第１バルブ４０の開放及び第２バルブ５０の閉鎖と同一であることができる。
【０１２５】
この実施例の凝縮水調節器具３０’は、三方バルブ１１０の第２モードが本発明の第１実施例の第１バルブ４０の閉鎖及び第２バルブ５０の開放と同一であることができる。
【０１２６】
この実施例の凝縮水調節器具３０’は、三方バルブ１１０の第３モードが本発明の第１実施例の第１バルブ４０の開放及び第２バルブ５０の開放と同一であることができる。
【０１２７】
この実施例の凝縮水調節器具３０’は、三方バルブ１１０の第４モードが本発明第１実施例の第１バルブ４０の閉鎖及び第２バルブ５０の閉鎖と同一であることができる。
【０１２８】
本発明は前記のような実施例に限定されないで、この発明が属する技術的範疇内で多様な変形が可能であるのは言うまでもない。
【符号の説明】
【０１２９】
２    空気吸入口
４    空気吐出口
６    ケース
２１    第１水槽
２２    第２水槽
３２    第１水路部
３４    第２水路部
３６    第３水路部
４０    第１バルブ
５０    第２バルブ
６０    制御部
【図１】
2016055285.tif 000003
【図２】
2016055285.tif 000004
【図３】
2016055285.tif 000005
【図４】
2016055285.tif 000006
【図５】
2016055285.tif 000007
【図６】
2016055285.tif 000008
【図７】
2016055285.tif 000009
【図８】
2016055285.tif 000010
【図９】
2016055285.tif 000011